(57)【要約】【課題】利便性の高い構内交換機システム及び通信接続方法を提案する。【解決手段】構内交換機は、ログインしている電話機から送信される発信要求に含まれる発信先の電話機の内線番号と、構内交換機により管理されている内線番号とに基づいて、発信先の電話機が自構内交換機にログインしているか否かを判断し、発信先の電話機が自構内交換機にログインしている場合には、発信要求の発信元の電話機と、発信先の電話機とを通信接続する一方、発信先の電話機が自構内交換機にログインしていない場合には、発信要求を他の構内交換機に転送する【選択図】図１
2013062598.tif 000002
【特許請求の範囲】
【請求項１】
相互に接続され、それぞれ固有の局番が付与された複数の構内交換機と、それぞれログインする前記構内交換機ごとに異なる固有の内線番号が付与された複数の電話機とを有し、前記電話機がログインしている前記構内交換機の局番と、当該電話機に付与された当該構内交換機における前記内線番号とを組み合わせた発信ダイヤルをダイヤルすることにより当該電話機に通信接続される構内交換システムにおいて、
前記構内交換機は、
前記電話機ごとに、前記電話機の前記構内交換機ごとの前記内線番号を管理し、
ログインしている前記電話機から送信される他の前記電話機への発信要求に含まれる発信先の前記電話機の内線番号と、前記構内交換機により管理されている前記内線番号とに基づいて、発信先の前記電話機が自構内交換機にログインしているか否かを判断し、
発信先の前記電話機が自構内交換機にログインしている場合には、前記発信要求の発信元の前記電話機と、発信先の前記電話機とを通信接続する一方、発信先の前記電話機が自構内交換機にログインしていない場合には、前記発信要求を他の前記構内交換機に転送する
ことを特徴とする構内交換機システム。
【請求項２】
前記構内交換機は、
前記電話機ごとのログインすべき前記構内交換機の優先順位を規定した優先順位情報を管理しており、
前記構内交換機の故障時、又は、前記構内交換機に接続される回線の障害若しくは混雑時には、前記優先順位情報に基づいて、迂回して前記電話機を他の前記構内交換機にログインさせる
ことを特徴とする請求項１に記載の構内交換機システム。
【請求項３】
前記構内交換機は、
前記電話機を他の前記電話機若しくは公衆網と通信接続させ、又は、前記電話機間で会議通話させるためのトランクを有し、
前記電話機ごとのログインすべき前記トランクを有する前記構内交換機の優先順位を規定した優先順位情報を管理しており、
前記トランクの故障時、又は、前記トランクに接続される回線の障害若しくは混雑時には、前記優先順位情報に基づいて、迂回して前記電話機を他の前記構内交換機にログインさせる
ことを特徴とする請求項１に記載の構内交換機システム。
【請求項４】
前記構内交換機は、
時間帯、前記構内交換機の状態、回線の状態に応じて前記電話機をログインさせる前記構内交換機の優先度を変更する
ことを特徴とする請求項１に記載の構内交換機システム。
【請求項５】
前記電話機は、ＩＰ電話機である
ことを特徴とする請求項１に記載の構内交換機システム。
【請求項６】
相互に接続され、それぞれ固有の局番が付与された複数の構内交換機と、それぞれログインする前記構内交換機ごとに異なる固有の内線番号が付与された複数の電話機とを有し、前記電話機がログインしている前記構内交換機の局番と、当該電話機に付与された当該構内交換機における前記内線番号とを組み合わせた発信ダイヤルをダイヤルすることにより当該電話機に通信接続される構内交換システムの通信接続方法において、
前記構内交換機が前記電話機ごとに、前記電話機の前記構内交換機ごとの前記内線番号を管理する第１のステップと、
前記構内交換機がログインしている前記電話機から送信される他の前記電話機への発信要求に含まれる発信先の前記電話機の内線番号と、前記構内交換機により管理されている前記内線番号とに基づいて、発信先の前記電話機が自構内交換機にログインしているか否かを判断する第２のステップと、
前記構内交換機が発信先の前記電話機が自構内交換機にログインしている場合には、前記発信要求の発信元の前記電話機と、発信先の前記電話機とを通信接続する一方、発信先の前記電話機が自構内交換機にログインしていない場合には、前記発信要求を他の前記構内交換機に転送する第３のステップと
を備えることを特徴とする通信接続方法。
【請求項７】
前記構内交換機は、
前記電話機ごとのログインすべき前記構内交換機の優先順位を規定した優先順位情報を管理しており、
第１、第２及び第３のステップと並行して、前記構内交換機が前記構内交換機の故障時、又は、前記構内交換機に接続される回線の障害若しくは混雑時には、前記優先順位情報に基づいて、迂回して前記電話機を他の前記構内交換機にログインさせる
ことを特徴とする請求項５に記載の通信接続方法。
【請求項８】
前記構内交換機は、
前記電話機を他の前記電話機若しくは公衆網と通信接続させ、又は、前記電話機間で会議通話させるためのトランクを有し、
前記電話機ごとのログインすべき前記トランクを有する前記構内交換機の優先順位を規定した優先順位情報を管理しており、
第１、第２及び第３のステップと並行して、前記構内交換機が前記トランクの故障時、又は、前記トランクに接続される回線の障害若しくは混雑時には、前記優先順位情報に基づいて、迂回して前記電話機を他の前記構内交換機にログインさせる
ことを特徴とする請求項５に記載の通信接続方法。
【請求項９】
第１、第２及び第３のステップと並行して、
前記構内交換機が時間帯、前記構内交換機の状態、回線の状態に応じて前記電話機をログインさせる前記構内交換機の優先度を変更する
ことを特徴とする請求項５に記載の通信接続方法。
【請求項１０】
前記電話機は、ＩＰ電話機である
ことを特徴とする請求項５に記載の通信接続方法。
【発明の詳細な説明】
【技術分野】
【０００１】
本発明は、構内交換機システム及び通信接続方法に関し、例えば複数のＩＰ電話機及び通話路スイッチを備えて構成される構内交換機システム及び通信接続方法に適用して好適なものである。
【背景技術】
【０００２】
従来、インターネットで利用されるパケット通信プロトコルであるＩＰ(Internet Protocol)を利用して通話を実現するＩＰ電話機が知られている。また、従来、ＩＰ電話機の回線交換を行うために通話路スイッチ（ＩＰ-ＰＢＸ：Internet Protocol Private Branch Exchange）が使用されることが知られている。この通話路スイッチを有する構内交換機から構成される構内交換機システムには、一般にトランクと呼ばれる通話路スイッチに会議通話や公衆網接続等のサービス機能を付加するためのインタフェースが備わっている。そしてこのトランクを備えることにより、構内交換機システムはＩＰネットワーク上で通話路スイッチをまたいだＩＰ電話機の転送や構内交換機システム内で会議通話といったサービスを可能にする。
【０００３】
ところで、サービスを可能にするトランクは、一台に接続できるＩＰ電話機の台数が決まっている。従ってトランクは、会議に参加するＩＰ電話機の台数が増えた場合、全てのＩＰ電話機に対して会議通話サービスを提供することができない場合がある。
【０００４】
このような問題を解決するための手段として、例えば特許文献１には、複数の端末が接続され、複数の端末からの会議通話の要求を受け付ける構内交換機において、会議通話に参加する端末数の増加に応じて会議通話トランクを捕捉するようにし、会議参加希望者の会議参加ダイヤル操作ごとに会議通話トランクに接続させることで、多者会議通話を提供する会議通信接続方法が開示されている。
【０００５】
ところが、上述の多者会議通話を提供する会議通信接続方法においては、構内交換機システム上の通話路スイッチの故障や回線の障害等によって生じるＩＰ電話機の通信障害については考慮されておらず、構内交換機システムの故障や回線の障害時には、構内交換機システム上の全てのＩＰ電話機においてサービスが利用できなくなる問題があった。
【０００６】
かかる問題を解決するための手段として、例えば特許文献２には、構内交換機の故障時又は回線の障害時に、複数のＩＰ電話機を収容する各拠点において複数のＩＰ電話機の内線通話をバックアップするバックアップ交換機を設け、センタの構内交換機の故障及び回線の障害が発生した場合、ＩＰ電話機のログイン先を構内交換機からバックアップ交換機へ切り替えることで、拠点内ＩＰ電話機の全ての通話不能を回避し、拠点内の通話を確保する方法が開示されている。
【０００７】
ところが、上述のように構内交換機システム上においては、複数の各拠点間でサービスリソースであるバックアップ交換機を共有しないため、構内交換機システムを構成する全ての構内交換機にバックアップ交換機を備えなければならず、拠点数の増加に伴って、構成が大きくなる問題や、コストが高くなる問題があった。
【０００８】
かかる問題を解決するための手段として、例えば特許文献３には、同機能のトランクが複数の拠点に存在する環境下で、ＩＰ電話機からの発信にトランクを使用する際に、各拠点に設けられた複数のトランクの中から、１つの最適なトランクを選択し利用することで、拠点間でサービスリソースを共有する方法が開示されている。
【先行技術文献】
【特許文献】
【０００９】
【特許文献１】特開２００３−２３４８３５号公報
【特許文献２】特開２００６−２５４０９６号公報
【特許文献３】特開２００９−１００３３３号公報
【発明の概要】
【発明が解決しようとする課題】
【００１０】
しかしながら、上述の特許文献３に開示された方法によると、例えば発信先のＩＰ電話機がバックアップ先として他の拠点の構内交換機に迂回してログインした場合、かかるバックアップ先の拠点の構内交換機の内線電話機として動作するため、発信元のＩＰ電話機は、ログイン先の構内交換機ごとに対応した局番及び内線番号でダイヤル操作をしなければサービスを利用することができない問題があった。
【００１１】
本発明は、以上の点を考慮してなされたもので、局番を意識することなく固有の局番及び内線番号で所望の電話機に通信接続することが可能な利便性が高い構内交換機システム及び通信接続方法を提案しようとするものである。
【課題を解決するための手段】
【００１２】
かかる課題を解決するために本発明においては、相互に接続され、それぞれ固有の局番が付与された複数の構内交換機と、それぞれログインする前記構内交換機ごとに異なる固有の内線番号が付与された複数の電話機とを有し、前記電話機がログインしている前記構内交換機の局番と、当該電話機に付与された当該構内交換機における前記内線番号とを組み合わせた発信ダイヤルをダイヤルすることにより当該電話機に通信接続される構内交換システムにおいて、前記構内交換機は、前記電話機ごとに、前記電話機の前記構内交換機ごとの前記内線番号を管理し、ログインしている前記電話機から送信される他の前記電話機への発信要求に含まれる発信先の前記電話機の内線番号と、前記構内交換機により管理されている前記内線番号とに基づいて、発信先の前記電話機が自構内交換機にログインしているか否かを判断し、発信先の前記電話機が自構内交換機にログインしている場合には、前記発信要求の発信元の前記電話機と、発信先の前記電話機とを通信接続する一方、発信先の前記電話機が自構内交換機にログインしていない場合には、前記発信要求を他の前記構内交換機に転送するようにした。
【００１３】
また本発明においては、相互に接続され、それぞれ固有の局番が付与された複数の構内交換機と、それぞれログインする前記構内交換機ごとに異なる固有の内線番号が付与された複数の電話機とを有し、前記電話機がログインしている前記構内交換機の局番と、当該電話機に付与された当該構内交換機における前記内線番号とを組み合わせた発信ダイヤルをダイヤルすることにより当該電話機に通信接続される構内交換システムの通信接続方法において、前記構内交換機が前記電話機ごとに、前記電話機の前記構内交換機ごとの前記内線番号を管理する第１のステップと、前記構内交換機がログインしている前記電話機から送信される他の前記電話機への発信要求に含まれる発信先の前記電話機の内線番号と、前記構内交換機により管理されている前記内線番号とに基づいて、発信先の前記電話機が自構内交換機にログインしているか否かを判断する第２のステップと、前記構内交換機が発信先の前記電話機が自構内交換機にログインしている場合には、前記発信要求の発信元の前記電話機と、発信先の前記電話機とを通信接続する一方、発信先の前記電話機が自構内交換機にログインしていない場合には、前記発信要求を他の前記構内交換機に転送する第３のステップとを備えるようにした。
【００１４】
この結果、この構内交換機システム及び通信接続方法によれば、局番を意識することなく固有の局番及び内線番号で所望の電話機に通信接続することによって、利便性を向上することができる。
【発明の効果】
【００１５】
本発明によれば、利便性の高い構内交換機システム及び通信接続方法を実現できる。
【図面の簡単な説明】
【００１６】
【図１】本実施の形態による構内交換機システムの全体構成を示すブロック図である。
【図２】拠点２ＡにおけるＩＰ電話機のログイン状態情報テーブルの構成を示す概念図である。
【図３】拠点２Ａにおける迂回ログイン先情報テーブルの構成を示す概念図である。
【図４】拠点２Ａにおけるサービス種別毎迂回ログイン先情報テーブルの構成を示す概念図である。
【図５】拠点２Ａにおける特番ダイヤルテーブル種別情報テーブルの構成を示す概念図である。
【図６】拠点２Ａにおける特番ダイヤル種別情報テーブルの構成を示す概念図である。
【図７】拠点２ＢにおけるＩＰ電話機のログイン状態情報テーブルの構成を示す概念図である。
【図８】拠点２Ｂにおける迂回ログイン先情報テーブルの構成を示す概念図である。
【図９】拠点２Ｂにおけるサービス種別毎迂回ログイン先情報テーブルの構成を示す概念図である。
【図１０】拠点２Ｂにおける特番ダイヤルテーブル種別情報テーブルの構成を示す概念図である。
【図１１】拠点２Ｂにおける特番ダイヤル種別情報テーブルの構成を示す概念図である。
【図１２】拠点２ＣにおけるＩＰ電話機のログイン状態情報テーブルの構成を示す概念図である。
【図１３】拠点２Ｃにおける迂回ログイン先情報テーブルの構成を示す概念図である。
【図１４】拠点２Ｃにおけるサービス種別毎迂回ログイン先情報テーブルの構成を示す概念図である。
【図１５】拠点２Ｃにおける特番ダイヤルテーブル種別情報テーブルの構成を示す概念図である。
【図１６】拠点２Ｃにおける特番ダイヤル種別情報テーブルの構成を示す概念図である。
【図１７】各ＩＰ電話機がそれぞれ最優先の各ログイン拠点先にログインする様子を模式的に示した概念図である。
【図１８】ＩＰ電話機４Ｃ１が拠点２Ａの会議トランクボードへ迂回する様子を模式的に示した概念図である
【図１９】ＩＰ電話機４Ｃ１が拠点２Ｂの会議トランクボードへ迂回する様子を模式的に示した概念図である。
【図２０】ＩＰ電話機４Ｃ１が拠点２Ｃの公衆網トランクボードにログインする様子を模式的に示した概念図である。
【図２１】ＩＰ電話機４Ｃ１が拠点２Ａの公衆網トランクボードへ迂回する様子を模式的に示した概念図である。
【図２２】ＩＰ電話機４Ｃ１が拠点２Ｂの公衆網トランクボードへ迂回する様子を模式的に示した概念図である。
【図２３】ＩＰ電話機４Ｃ１が拠点２Ｂのアナログ内線電話機と通信接続する様子を模式的に示した概念図である。
【図２４】ＩＰ電話機４Ｃ１が拠点２Ｂのアナログ内線電話機と通信接続する様子を模式的に示した概念図である。
【図２５】通信接続制御処理の処理手順を示すフローチャートである。
【図２６】特定拠点向け発信処理の処理手順を示すフローチャートである。
【図２７】会議発信処理の処理手順を示すフローチャートである。
【図２８】第１の構内交換機側空き会議トランク検索処理の処理手順を示すフローチャートである。
【図２９】本店側空き会議トランク検索処理の処理手順を示すフローチャートである。
【図３０】迂回ログイン先拠点側空き会議トランク検索処理の処理手順を示すフローチャートである。
【図３１】内線解放処理の処理手順を示すフローチャートである。
【図３２】ログイン及び発信処理の処理手順を示すフローチャートである。
【図３３】会議招集処理の処理手順を示すフローチャートである。
【図３４】公衆網発信処理の処理手順を示すフローチャートである。
【図３５】第１の構内交換機側空き公衆網接続トランク検索処理の処理手順を示すフローチャートである。
【図３６】本店側空き公衆網接続トランク検索処理の処理手順を示すフローチャートである。
【図３７】迂回ログイン先拠点側空き公衆網接続トランク検索処理の処理手順を示すフローチャートである。
【図３８】内線解放処理の処理手順を示すフローチャートである。
【図３９】ログイン及び発信処理の処理手順を示すフローチャートである。
【図４０】通話終了処理の処理手順を示すフローチャートである。
【発明を実施するための形態】
【００１７】
以下図面について、本発明の一実施の形態を詳述する。
【００１８】
（１）本実施の形態による構内交換機システムの構成
図１において、１は全体として本実施の形態による構内交換機システムを示す。
【００１９】
この構内交換機システム１は、本店又は支店などの複数の拠点２（２Ａ，２Ｂ及び２Ｃ）にそれぞれ設置された構内交換機３（３Ａ，３Ｂ及び３Ｃ）と、複数のＩＰ-ＭＦＴ電話機（Internet Protocol Multi-Function Telephone）等のＩＰ電話機４（４Ａ，４Ｂ１，４Ｂ２，４Ｂ３，４Ｃ１，４Ｃ２及び４Ｃ３）と、公衆電話網（ＰＳＴＮ：Public Switched Telephone Networks）５とを備えて構成される。なお、複数の拠点２について総括した説明の場合、Ａ，Ｂ及びＣの符号は省略して記す場合がある。
【００２０】
複数の拠点２及び複数のＩＰ電話機４は、それぞれインターネット等のＩＰ（Internet Protocol）ネットワーク６を介して通信可能に接続されており、当該ＩＰネットワーク６を介してコマンドや各種制御情報を相互に送受し得るようになされている。
【００２１】
また、拠点２Ａは、構内交換機３Ａ、アナログ内線電話機７Ａ及び保守端末装置（ＭＴ：Maintenance Terminal）８Ａを備えて構成される。そして、構内交換機３（３Ａ，３Ｂ及び３Ｃ）、公衆電話網５、アナログ内線電話機７Ａ及び保守端末装置８Ａは、それぞれ制御バス９Ａを介して拠点２Ａ内で通信可能に接続されている。
【００２２】
拠点２Ａの構内交換機３Ａは、ＣＰＵ１０Ａと、メモリ１１Ａ、入出力遠隔保守トランク（ＩＯＣ：Input-Output Control）１２Ａ、通話路スイッチ１３Ａ、ＩＰ専用線接続制御ボード（ＶＩＰＴ：Voice Internet Protocol Trunk）１４Ａ１，１４Ａ２、ＩＰ電話機制御トランクボード（ＶＩＰＬ：Voice Internet Protocol Line）１５Ａ、会議トランクボード（ＣＦＴ：conference trunk）１６Ａ、アナログ内線電話機制御トランクボード（ＬＩＮ：local interconnect network）１７Ａ及び公衆網接続トランクボード（ＣＯＴ：Central Officeline Trunk）１８Ａを備えて構成される。
【００２３】
そして、これらＣＰＵ１０Ａと、メモリ１１Ａ、入出力遠隔保守トランク１２Ａ、通話路スイッチ１３Ａ、ＩＰ専用線接続制御ボード１４Ａ１，１４Ａ２、ＩＰ電話機制御トランクボード１５Ａ、会議トランクボード１６Ａ、アナログ内線電話機制御トランクボード１７Ａ及び公衆網接続トランクボード１８Ａとは、拠点２Ａ内で制御バス９Ａを介して接続されている。
【００２４】
ＣＰＵ１０Ａは、構内交換機３Ａ体の動作制御を司るプロセッサである。ＣＰＵ１０Ａは、メモリ１１Ａに格納された制御プログラムを実行することにより、構内交換機３Ａ全体としての各種処理を実行する。
【００２５】
メモリ１１Ａは、例えばＤＲＡＭ（Dynamic Random Access Memory）などの半導体メモリから構成され、交換動作制御プログラムなどの各種制御プログラムや構内交換機３の内線番号情報又は制御情報などの各種制御情報を記憶するために利用されるほか、交換動作を実行するときに一時的に利用される情報を記憶するＣＰＵ１０Ａのワークメモリとしても利用される。
【００２６】
入出力遠隔保守トランク１２Ａは、構内交換機３Ａの保守に利用される情報処理装置であり、例えばパーソナルコンピュータから構成される。入出力遠隔保守トランク１２Ａは、構内交換機３Ａ内の情報を収集して保守端末装置８Ａに通知したり、保守端末装置８Ａから送信される設定指令に従って構内交換機３Ａ内の各種設定を行う。
【００２７】
保守端末装置８Ａは、例えばパーソナルコンピュータ又はワークステーション等のコンピュータ装置から構成され、制御バス９Ａを介して構内交換機３Ａの入出力遠隔保守トランク１２Ａと接続されている。保守端末装置８Ａは、構内交換機３Ａに対して各種設定を行うためのＧＵＩ（Graphical User Interface）や各種情報を表示する表示装置と、オペレータが各種操作や各種設定入力を行うためのキーボードやマウス等の入力装置と、制御バス９Ａを介して構内交換機３Ａの入出力遠隔保守トランク１２Ａと通信を行うための通信装置とを備えて構成される。そして保守端末装置８Ａは、例えば構内交換機３Ａの入出力遠隔保守トランク１２Ａから通知される各種情報を表示装置に表示したり、表示装置に表示したＧＵＩを用いて入力された各種設定内容に従った設定指令を構内交換機３Ａの入出力遠隔保守トランク１２Ａに送信する。
【００２８】
通話路スイッチ１３Ａは、ＣＰＵ１０Ａの指示に従って、ＣＰＵ１０Ａ、メモリ１１Ａ、入出力遠隔保守トランク１２Ａ、ＩＰ専用線接続制御ボード１４Ａ、ＩＰ電話機制御トランクボード１５Ａ、会議トランクボード１６Ａ及び公衆網接続トランクボード１８Ａ間におけるデータの転送を行うスイッチである。通話路スイッチ１３Ａは、ＣＰＵ１０Ａの指示に従って、ＣＰＵ１０Ａ、メモリ１１Ａ、入出力遠隔保守トランク１２Ａ、ＩＰ専用線接続制御ボード１４Ａ、ＩＰ電話機制御トランクボード１５Ａ、会議トランクボード１６Ａ及び公衆網接続トランクボード１８Ａ間におけるデータの転送を行う。
【００２９】
ＩＰ専用線接続制御トランクボード１４Ａは、構内交換機３ＡをＩＰネットワーク６に接続するためのインタフェースであり、構内交換機３ＡがＩＰネットワーク６を介して他の拠点に設置された構内交換機３Ｂ,３Ｃと通信を行う際のプロトコル制御を行う。
【００３０】
なお、本実施の形態における構内交換機システム１では、拠点２Ａの構内交換機３Ａには、複数のＩＰ専用線接続制御ボードを備えて構成されており、これらのＩＰ専用線接続制御ボード１４Ａ（１４Ａ１,１４Ａ２）には、各ＩＰ専用線接続制御ボード１４Ａ１,１４Ａ２ごとにそれぞれ通信する構内交換機３が決められている。
【００３１】
例えば、ＩＰ専用線接続制御ボード１４Ａ１は、支店Ａを示す拠点２Ｂに備えられたＩＰ専用線接続制御ボード１４Ｂと接続され、構内交換機３Ａ及び構内交換機３Ｂ間の通信を行うための専用のインタフェースである。またＩＰ専用線接続制御ボード１４Ａ２は、支店Ｂを示す拠点２Ｃに備えられたＩＰ専用線接続制御ボード１４Ｃと接続され、構内交換機３Ａ及び構内交換機３Ｃ間の通信を行うための専用のインタフェースである。
【００３２】
具体的に、支店Ａを示す拠点２ＢのＩＰ専用線接続制御トランクボード１４Ｂは、本店を示す拠点２ＡのＩＰ専用線接続制御ボード１４Ａとしか接続されず、支店Ｂを示す２ＣのＩＰ専用線接続制御ボード１４Ｃは、拠点２ＡのＩＰ専用線接続制御ボード１４Ａとしか接続されない。これにより、拠点２Ｂ及び拠点２Ｃそれぞれにログイン状態のＩＰ電話機４間での通信接続の際には、必ず本店を示す拠点２Ａの構内交換機３Ａを介して実行される。
【００３３】
また、ＩＰ電話機制御トランクボード１５Ａは、構内交換機３ＡをＩＰネットワーク６に接続するためのインタフェースであり、構内交換機３ＡがＩＰネットワーク６を介してＩＰ電話機４（４Ａ，４Ｂ１，４Ｂ２，４Ｂ３，４Ｃ１，４Ｃ２及び４Ｃ３）と通信を行う際のプロトコル制御を行う。
【００３４】
会議トランクボード１６Ａは、会議通話の通話路接続を行うために音声データをまとめる機能を持つインタフェースであり、例えばＭＰＵ（Micro Processing Unit）及び音声合成回路から構成される。会議トランクボード１６Ａは、ＣＰＵ１０Ａの指示に従って、ＩＰ電話機４（４Ａ，４Ｂ１，４Ｂ２，４Ｂ３，４Ｃ１，４Ｃ２及び４Ｃ３）から会議トランクボード１６Ａへの通話路の接続及び切断制御等の通話路接続制御を実行する。
【００３５】
アナログ内線電話機制御トランクボード１７Ａは、アナログ内線電話機７Ａを構内交換機３Ａに接続するためのインタフェースであり、構内交換機３Ａが制御バス９Ａを介してアナログ内線電話機７Ａと通信を行う際のプロトコル制御を行う。
【００３６】
公衆網接続トランクボード１８Ａは、公衆電話網５を構内交換機３に接続するためのインタフェースであり、構内交換機３Ａが制御バス９Ａを介して公衆電話網５と通信を行う際のプロトコル制御を行う。
【００３７】
なお、拠点２Ｂは、ＩＰ専用線接続制御ボード１４Ｂが一つであることを除いて、拠点２Ａと同様のハードウェア構成を有するものであり、拠点２Ｃは、会議トランクボード１６Ｃを備えていないことを除いて、他の拠点２Ｂと同様のハードウェア構成を有するものであるため、その詳細についての説明は省略する。
【００３８】
（２）本実施の形態による通信接続制御機能
（２−１）概要及びテーブル構成
次に、かかる各拠点２の構内交換機３に搭載された通信接続制御機能について説明する。本実施の形態による構内交換機３には、ＩＰネットワーク６を介して各拠点２の構内交換機３に接続される管理対象であるＩＰ電話機４のログイン先の拠点情報を管理する通信接続制御機能が搭載されている。
【００３９】
実際上、本実施の形態による構内交換機システム１における複数のＩＰ電話機４は、いずれかの拠点の構内交換機３にログインすることによって構内交換機３に備わるＩＰ専用線接続制御ボード１４、ＩＰ電話機制御トランクボード１５、会議トランクボード１６、アナログ内線電話機制御トランクボード１７及び公衆網接続トランクボード等のトランクを利用する。これによりＩＰ電話機４は、他のＩＰ電話機、アナログ内線電話機又は公衆網と通信接続することができ、ＩＰ電話機間で会議通話させるためのサービスを利用することができる。
【００４０】
しかしながら、ＩＰ電話機４は、これらのトランク及びこのトランクを備えた構内交換機システムの故障やそれぞれに接続される回線の障害又は回線の混雑等によって、構内交換機システム１上で優先的にログインする拠点２の構内交換機３以外の他の拠点２の構内交換機３に迂回してログインすることによって上述のサービスを利用する場合がある。この場合、ＩＰ電話機４には、新たに迂回先の拠点２の構内交換機３（以下、これを迂回ログイン先と呼ぶ）によって対応する固有の局番及び内線番号が割り当てられる。従って他のＩＰ電話機４がこのＩＰ電話機４に発信する場合、迂回ログイン先の局番及び内線番号を使用しないと通信接続することができない。
【００４１】
そこで、本実施の形態の場合、ＩＰ電話機４に対して構内交換機システム１の全ての拠点２によってそれぞれ割り当てられる内線番号の情報及びＩＰ電話機４が構内交換機３にログインしているか否かを示すログイン状態情報を各拠点２の構内交換機３において管理することで、発信先のＩＰ電話機４が他の拠点２の構内交換機３に迂回してログインされている場合に、ダイヤル操作を変更しなくても発信先のＩＰ電話機４が優先的にログインしている拠点２の構内交換機３によって割り当てられる局番及び内線番号を使用しても迂回ログイン先の拠点２で発信先のＩＰ電話機４のログイン状態を検索することができる。これにより、発信元の電話機と発信先のＩＰ電話機４とを接続することができる。
【００４２】
以上のような通信接続制御機能に基づく通信接続制御処理を実行するための手段として、本店を示す拠点２Ａにおける各構内交換機３Ａのメモリ１１Ａには、図２に示すログイン状態情報テーブル２０と、図３に示す迂回ログイン先情報テーブル２１と、図４に示すサービス種別毎迂回ログイン先情報テーブル２２と、図５に示す特番ダイヤルテーブル種別情報テーブル２３と、図６に示す特番ダイヤル種別情報テーブル２４とが格納されている。
【００４３】
ログイン状態情報テーブル２０は、構内交換機３ＡがＩＰ電話機４（４Ａ，４Ｂ１，４Ｂ２，４Ｂ３，４Ｃ１，４Ｃ２及び４Ｃ３）の構内交換機３Ａへのログイン状態を管理するために利用されるテーブルであり、図２に示すように、内線番号欄２０Ａ及びログイン状態情報欄２０Ｂから構成される。
【００４４】
そして、内線番号欄２０Ａには、対応するＩＰ電話機４に対して構内交換機３Ａで付与された内線番号（以下、これをＩＰ内線番号と呼ぶ）が格納され、ログイン状態情報欄２０Ｂには、かかるＩＰ内線番号に対応するＩＰ電話機４のログイン状態情報が格納される。
【００４５】
従って、図２では、「3000」というＩＰ−ＭＦＴ内線番号を有するＩＰ電話機４の拠点２Ａへのログイン状態が「ログイン・ログアウト」であることが示されている。
【００４６】
迂回ログイン先情報テーブル２１は、ＩＰ電話機４がいずれの構内交換機３を優先的に使用すべきかを示す構内交換機３の優先順位情報を構内交換機３Ａが管理するために利用されるテーブルであり、図３に示すように、内線番号欄２１Ａ、ログイン先情報欄２１Ｂ、第１迂回ログイン先欄２１Ｃ及び第２迂回ログイン先欄２１Ｄから構成される。
【００４７】
そして、内線番号欄２１Ａには、対応する構内交換機３Ａで付与されたＩＰ電話機４のＩＰ内線番号が格納され、ログイン先情報欄２１Ｂには、ＩＰ内線番号を有するＩＰ電話機４に対してユーザにより設定された対応する最優先のログイン先の構内交換機３の拠点２（以下、これを最優先ログイン先と呼ぶ）及びＩＰ内線番号が格納される。
【００４８】
また第１迂回ログイン先欄２１Ｃには、構内交換機３Ａの故障時、又は、回線の障害時等により最優先ログイン先でサービスが利用できない場合に、ＩＰ電話機４に対して迂回してログインをさせるためにユーザにより設定された対応する迂回ログイン先の構内交換機３の拠点２（以下、これを第１の迂回ログイン先と呼ぶ）及び第１の迂回ログイン先でのＩＰ内線番号が格納される。
【００４９】
また、第２迂回ログイン先欄２１Ｄには、構内交換機３Ａの故障、又は構内交換機３Ａに接続される回線の障害又は回線の混雑等によりＩＰ電話機４が迂回してログインする第１の迂回ログイン先でサービスが利用できない場合に、ＩＰ電話機４に対して迂回してログインをさせるためにユーザにより設定された対応する迂回ログイン先の構内交換機３の拠点２（以下、これを第２の迂回ログイン先と呼ぶ）及び第２の迂回ログイン先でのＩＰ内線番号が格納される。
【００５０】
従って、図３では、「3000」というＩＰ−ＭＦＴ内線番号を有するＩＰ電話機４の最優先ログイン先の構内交換機３が「本店:内線番号3000」であり、第１迂回ログイン先と第２の迂回ログイン先とが無いことが示されている。
【００５１】
サービス種別毎迂回ログイン先情報テーブル２２は、各拠点２の構内交換機３によって提供されるユーザ業務に必要なサービス種別を提供するトランク毎にＩＰ電話機４がいずれの構内交換機３のトランクを優先的に使用すべきかを示す構内交換機３の優先順位情報を構内交換機３Ａが管理するために利用されるテーブルであり、図４に示すように、内線番号欄２２Ａ、サービス種別欄２２Ｂ、第１迂回ログイン先欄２２Ｃ及び第２迂回ログイン先欄２２Ｄから構成される。
【００５２】
そして、内線番号欄２２Ａには、対応するＩＰ電話機４の対応する最優先ログイン先及びかかる構内交換機３ごとに付与されたＩＰ内線番号が格納され、サービス種別欄２２Ｂには、構内交換機システム１上の各構内交換機３によって提供されるユーザ業務に必要なサービス種別情報が格納される。なお、サービス種別としては、上述のように「会議通話」、「公衆網発信」、「支店Ａ向け専用線発信」及び「支店Ｂ向け専用線発信」などがある。
【００５３】
また、第１迂回ログイン先欄２２Ｃには、対象のＩＰ内線番号を有するＩＰ電話機４が特定のサービスを提供するトランクの故障やトランクに接続される回線の混雑等により最優先ログイン先で特定のサービスが利用できない場合に、ＩＰ電話機４に対して迂回してログインをさせるためにユーザにより設定された対応する第１の迂回ログイン先及び第１の迂回ログイン先での内線番号が格納される。なお、対象のＩＰ内線番号を有するＩＰ電話機４に対応する第１の迂回ログイン先が設定されていない場合には、「なし」がそれぞれ格納される。
【００５４】
また、第２迂回ログイン先欄２２Ｄには、対象のＩＰ内線番号を有するＩＰ電話機４が迂回してログインする第１の迂回ログイン先で特定のサービスが利用できない場合に、ＩＰ電話機４に対して迂回してログインをさせるためにユーザにより設定された対応する第２の迂回ログイン先及び第２の迂回ログイン先での内線番号が格納される。なお、対象のＩＰ内線番号を有するＩＰ電話機４に対応する第２の迂回ログイン先が設定されていない場合には、「なし」がそれぞれ格納される。
【００５５】
従って、図４では、「3000」というＩＰ内線番号を有するＩＰ電話機４がサービスを利用する場合に、第１迂回ログイン先と第２の迂回ログイン先が無いことが示されている。
【００５６】
一方、特番ダイヤルテーブル種別情報テーブル２３は、構内交換機３ＡにログインしているＩＰ電話機４がサービスを利用する際に利用すべき特番ダイヤルテーブルの種別を構内交換機３Ａが管理するために利用されるテーブルであり、図５に示すように、内線番号欄２３Ａ、特番ダイヤルテーブル番号欄２３Ｂから構成される。
【００５７】
そして、内線番号欄２３Ａには、対応するＩＰ電話機４の構内交換機３Ａで付与されたＩＰ内線番号が格納され、特番ダイヤルテーブル番号欄２３Ｂには、かかるＩＰ内線番号を有するＩＰ電話機４に対して対応する特番ダイヤルテーブル毎に対して付与された当該特番ダイヤルテーブルに固有の番号が格納される。
【００５８】
従って、図５では、拠点２Ａで「3000」というＩＰ内線番号を有するＩＰ電話機４がサービスを利用する際に利用する特番ダイヤルテーブルが「テーブル番号１」であることが示されている。
【００５９】
他方、特番ダイヤル種別情報テーブル２４は、構内交換機３ＡにログインしているＩＰ電話機４がサービスを使用する際に利用され、各構内交換機ごとの局番又はサービスごとに付与された番号から構成される特番ダイヤルを管理するために利用されるテーブルであり、図６に示すように、特番ダイヤルテーブル番号欄２４Ａ、特番ダイヤル欄２４Ｂ、サービス種別欄２４Ｃから構成される。
【００６０】
そして、特番ダイヤル欄２４Ｂには、対応するサービス種別毎に対して付与された特番ダイヤルの情報が格納される。なお、特番ダイヤルが構内交換機３ＡにログインされているＩＰ電話機４や構内交換機３Ａに接続されているアナログ電話機７Ａに対して発信を行うための特番ダイヤルである場合には対象の特番ダイヤルのＩＰ内線番号及び内線番号の上１桁の番号が格納される。具体的には、拠点２ＡでＩＰ電話機４のＩＰ内線番号が「3000」である場合には「3」が格納される。
【００６１】
また、サービス種別欄２４Ｃには、構内交換機システム１上の構内交換機３によって提供されるユーザ業務に必要なサービス種別情報が格納される。また、特番ダイヤルテーブル番号欄２４Ａには、対応する特番ダイヤル及びサービス種別情報からなる特番ダイヤルテーブルに対して付与された番号が格納される。
【００６２】
従って、図６では、特番ダイヤルが「３」でサービス種別情報が「本店内線番号ダイヤル」の特番ダイヤルテーブル番号が「テーブル番号１」であることが示されている。
【００６３】
また、支店Ａを示す拠点２Ｂにおける各構内交換機３Ｂのメモリ１１Ｂには、図７に示すログイン状態情報テーブル３０と、図８に示す迂回ログイン先情報テーブル３１と、図９に示すサービス種別毎迂回ログイン先情報テーブル３２と、図１０に示す特番ダイヤルテーブル種別情報テーブル３３と、図１１に示す特番ダイヤル種別情報テーブル３４とが格納されている。
【００６４】
ログイン状態情報テーブル３０、迂回ログイン先情報テーブル３１、特番ダイヤルテーブル種別情報テーブル３３及び特番ダイヤル種別情報テーブル３４については、それぞれ本店を示す拠点２Ａのログイン状態情報テーブル２０（図２）迂回ログイン先情報テーブル２１（図３）、特番ダイヤルテーブル種別情報テーブル２３（図５）及び特番ダイヤル種別情報テーブル２４（図６）と同様のものであるため、ここでの説明は省略する。ただし、構内交換機３Ｂで付与されたＩＰ内線番号によって構内交換機３Ｂに接続されるＩＰ電話機４のログイン状態を管理する。
【００６５】
一方、サービス種別毎迂回ログイン先情報テーブル３２は、構内交換機システム１上の各拠点２の構内交換機３によって提供されるユーザ業務に必要なサービス種別を提供するトランク毎にトランクの故障やトランクに接続される回線の混雑等の際に、ＩＰ電話機４がログイン先の拠点２Ｂを介していずれの構内交換機３のトランクが使用できるかを問い合わせるために使用されるテーブルであり、図９に示すように、内線番号欄３２Ａ、サービス種別欄３２Ｂ及び問合せ先情報欄３２Ｃから構成される。
【００６６】
そして、内線番号欄３２Ａ及びサービス種別欄３２Ｂには、それぞれ拠点２Ａのサービス種別毎迂回ログイン先情報テーブル２２（図４）の対応する欄（内線番号欄２２Ａ、サービス種別欄２２Ｂ及び問合せ先情報欄２２Ｃ）に格納される情報と同じ情報が格納される。
【００６７】
また問合せ先情報欄３２Ｃには、ＩＰ電話機４が拠点２Ｂを介して他の拠点に対して利用できるトランクが存在するか否かを問い合わせるためのユーザにより設定された対応する問合せ先の拠点２が格納される。
【００６８】
また、支店Ｂを示す拠点２Ｃにおける各構内交換機３Ｃのメモリ１１Ｃには、図１２に示すログイン状態情報テーブル４０と、図１３に示す迂回ログイン先情報テーブル４１と、図１４に示すサービス種別毎迂回ログイン先情報テーブル４２と、図１５に示す特番ダイヤルテーブル種別情報テーブル４３と、図１６に示す特番ダイヤル種別情報テーブル４４とが格納されている。
【００６９】
これらのログイン状態情報テーブル４０、迂回ログイン先情報テーブル４１、サービス種別毎迂回ログイン先情報テーブル４２、特番ダイヤルテーブル種別情報テーブル４３及び特番ダイヤル種別情報テーブル４４は、それぞれ本店を示す拠点２Ａのログイン状態情報テーブル３０（図７）迂回ログイン先情報テーブル３１（図８）、サービス種別毎迂回ログイン先情報テーブル３２（図９）、特番ダイヤルテーブル種別情報テーブル３３（図１０）及び特番ダイヤル種別情報テーブル３４（図１１）と同様のものであるため、ここでの説明は省略する。ただし、構内交換機３Ｃで付与されたＩＰ内線番号によって構内交換機３Ｃに接続されるＩＰ電話機４のログイン状態を管理する。
【００７０】
（３）本構内交換機システムにおける通信接続に要する動作原理
次に、構内交換機システム１においてＩＰ電話機４でサービスを利用する際に実行される動作原理について説明する。
【００７１】
図１７は、各ＩＰ電話機４がそれぞれ最優先ログイン先である構内交換機３にログインする様子を模式的に示した概念図である。図１７では、ＩＰ電話機４Ａからの発信要求に応じて、ＩＰ電話機４Ａの最優先ログイン拠点先である構内交換機３Ａは、ＩＰ電話機制御トランクボード１５Ａを介してＩＰ電話機４Ａと接続する。構内交換機３ＡにログインしたＩＰ電話機４Ａは、内線番号「3000」として拠点２Ａの構内交換機３Ａによって通信接続制御される。
【００７２】
図１８は、ＩＰ電話機４Ｃ１が最優先ログイン先である支店Ｂを示す拠点２Ｃにおいて会議トランクボードを利用できず本店を示す拠点２Ａの会議トランクボード１６Ａへ迂回する様子を模式的に示した概念図である。
【００７３】
図１８では、まず、ＩＰ電話機４Ｃ１からのログイン要求及び会議発信要求に応じて、拠点２Ｃの構内交換機３Ｃが拠点２Ａの構内交換機３Ａに迂回ログイン先を問い合わせる。ＩＰ電話機４Ｃ１の第１の迂回ログイン先であった拠点２Ａの構内交換機３Ａは、ＩＰ電話機制御トランクボード１５Ａを介してＩＰ電話機４Ｃ１を構内交換機３Ａにログインさせる。構内交換機３ＡにログインしたＩＰ電話機４Ｃ１は、ＩＰ電話機制御トランクボード１５Ａを介して会議トランクボード１６Ａと接続され、会議通話サービスを利用することができる。なお、通信接続のための一連の制御処理が終了すると、ＩＰ電話機４Ｃ１からＩＰ電話機制御トランクボード１５Ａを介して会議トランクボード１６Ａに音声が送信される。
【００７４】
図１９は、ＩＰ電話機４Ｃ１が最優先ログイン先である支店Ｂを示す拠点２Ｃ及び第１の迂回ログイン先である本店を示す拠点２Ａの会議トランクボードを利用できず支店Ａを示す拠点２Ｂの会議トランクボード１６Ｂへ迂回する様子を模式的に示した概念図である。
【００７５】
図１９では、まず、ＩＰ電話機４Ｃ１からの会議発信要求に応じて、拠点２Ｃの構内交換機３Ｃが拠点２Ａに迂回ログイン先を問い合わせる。ＩＰ電話機４Ｃ１の第２の迂回ログイン拠点先であった拠点２Ｂの構内交換機３Ｂは、ＩＰ電話機制御トランクボード１５Ｂを介してＩＰ電話機４Ｃ１を構内交換機３Ｂにログインさせる。拠点２ＢにログインしたＩＰ電話機４Ｃ１は、ＩＰ電話機制御トランクボード１５Ｂを介して会議トランクボード１６Ｂと接続され、会議通話サービスを利用することができる。なお、通信接続のための一連の制御処理が終了すると、ＩＰ電話機４Ｃ１からＩＰ電話機制御トランクボード１５Ｂを介して会議トランクボード１６Ｂに音声が送信される。
【００７６】
図２０は、ＩＰ電話機４Ｃ１が拠点２Ｃにログインし、公衆網接続トランクボード１８Ｃを利用する様子を模式的に示した概念図である。
【００７７】
図２０では、まず、ＩＰ電話機４Ｃ１からの公衆網発信要求に応じて、ＩＰ電話機４Ｃ１の最優先ログイン先である拠点２Ｃの構内交換機３ＣがＩＰ電話機制御トランクボード１５Ｃを介してＩＰ電話機４Ｃ１を構内交換機３Ｃにログインさせる。構内交換機３ＣにログインしたＩＰ電話機４Ｃ１は、ＩＰ電話機制御トランクボード１５Ｃ及び公衆網接続トランクボード１８Ｃを介して公衆電話網５に接続され、公衆網発信サービスを利用することができる。なお、通信接続のための一連の制御処理が終了すると、ＩＰ電話機４Ｃ１からＩＰ電話機制御トランクボード１５Ｃ及び公衆網接続トランクボード１８Ｃを介して公衆電話網５に音声が送信される。
【００７８】
図２１は、ＩＰ電話機４Ｃ１が最優先ログイン先である支店Ｂを示す拠点２Ｃの公衆網接続トランクボード１８Ｃを利用できず本店を示す拠点２Ａの公衆網接続トランクボード１８Ａへ迂回する様子を模式的に示した概念図である。
【００７９】
図２１では、まず、ＩＰ電話機４Ｃ１からの公衆網発信要求に応じて、拠点２Ｃの構内交換機３Ｃが構内交換機３Ａに迂回ログイン先を問い合わせる。ＩＰ電話機４Ｃ１の第１の迂回ログイン先であった拠点２Ａの構内交換機３Ａは、ＩＰ電話機制御トランクボード１５Ａを介してＩＰ電話機４Ｃ１を構内交換機３Ａにログインさせる。構内交換機３ＡにログインしたＩＰ電話機４Ｃ１は、ＩＰ電話機制御トランクボード１５Ａ及び公衆網接続トランクボード１８Ａを介して公衆電話網５に接続され、会議発信サービスを利用することができる。なお、通信接続のための一連の制御処理が終了すると、ＩＰ電話機４Ｃ１からＩＰ電話機制御トランクボード１５Ａ及び公衆網接続トランクボード１８Ａを介して公衆電話網５に音声が送信される。
【００８０】
図２２は、ＩＰ電話機４Ｃ１が最優先ログイン先である支店Ｂを示す拠点２Ｃ及び第１の迂回ログイン先である本店を示す拠点２Ａの公衆網接続トランクボードを利用できず支店Ａを示す拠点２Ｂの公衆網接続トランクボード１８Ｂへ迂回する様子を模式的に示した概念図である。
【００８１】
図２１では、まず、ＩＰ電話機４Ｃ１からの公衆網発信要求に応じて、拠点２Ｃの構内交換機３Ｃが構内交換機３Ａに迂回ログイン先を問い合わせる。ＩＰ電話機４Ｃ１の第２の迂回ログイン先であった拠点２Ｂの構内交換機３Ｂは、ＩＰ電話機制御トランクボード１５Ｂを介してＩＰ電話機４Ｃ１を構内交換機３Ｂにログインさせる。構内交換機３ＢにログインしたＩＰ電話機４Ｃ１は、ＩＰ電話機制御トランクボード１５Ｂ及び公衆網接続トランクボード１８Ｂを介して公衆電話網５に接続され、会議発信サービスを利用することができる。なお、通信接続のための一連の制御処理が終了すると、ＩＰ電話機４Ｃ１からＩＰ電話機制御トランクボード１５Ｂ及び公衆網接続トランクボード１８Ｂを介して公衆電話網５に音声が送信される。
【００８２】
図２３は、支店Ｂを示す拠点２Ｃの構内交換機３Ｃにログイン状態であるＩＰ電話機４Ｃ１が支店Ａを示す拠点２Ｂのアナログ内線電話機と通信接続する様子を模式的に示した概念図である。
【００８３】
図２３では、まず、ＩＰ電話機４Ｃ１からのアナログ内線電話機への発信要求に応じて、拠点２Ｃの構内交換機３ＣがＩＰ専用線接続制御ボード１４Ｃ、ＩＰ専用線接続制御ボード１４Ａ２、ＩＰ専用線接続制御ボード１４Ａ１及び構内交換機３ＢのＩＰ専用線接続制御ボード１４Ｂを介して構内交換機３Ｂとログインすることで、ＩＰ電話機４Ｃ１がアナログ内線電話機７Ｂと接続される。なお、通信接続のための一連の制御処理が終了すると、ＩＰ電話機４Ｃ１からＩＰ電話機制御トランクボード１５Ｂ及びアナログ内線電話機制御トランクボード１７Ｂを介してアナログ内線電話機７Ｂに音声が送信される。
【００８４】
図２４は、ＩＰ電話機４Ｃ１が最優先ログイン先である支店Ｂを示す拠点２ＣのＩＰ専用線接続制御ボード１４Ｃを利用できず支店Ａを示す拠点２ＢのＩＰ専用線接続制御ボード１４Ｂへ迂回することで、拠点２Ｂのアナログ内線電話機と通信接続する様子を模式的に示した概念図である。
【００８５】
図２４では、まず、ＩＰ電話機４Ｃ１からのアナログ内線電話機への発信要求に応じて、拠点２Ｃの構内交換機３Ｃが構内交換機３Ａに迂回ログイン先を問い合わせる。ＩＰ電話機４Ｃ１の第１の迂回ログイン先であった拠点２Ｂの構内交換機３Ｂは、ＩＰ電話機制御トランクボード１５Ｂを介してＩＰ電話機４Ｃ１を構内交換機３Ｂにログインさせる。構内交換機３ＢにログインしたＩＰ電話機４Ｃ１は、ＩＰ電話機制御トランクボード１５Ｂ及びアナログ内線電話機制御トランクボード１７Ｂを介してアナログ内線電話機７Ｂと接続される。なお、通信接続のための一連の制御処理が終了すると、ＩＰ電話機４Ｃ１からＩＰ電話機制御トランクボード１５Ｂ及びアナログ内線電話機制御トランクボード１７Ｂを介してアナログ内線電話機７Ｂに音声が送信される。
【００８６】
（４）本構内交換機システムによる通信接続制御処理に関する各種処理
次に、本実施の形態による通信接続制御処理に関する各種処理の具体的な処理内容について説明する。
【００８７】
（４−１）本構内交換機システムによる発信処理
図２５は、各構内交換機３におけるＣＰＵ１０により実行される通信接続制御処理の処理手順を示す。ＣＰＵ１０は、この図２５に示す処理手順に従って、ＩＰ電話機４の構内交換機システム１内でのサービスの利用を可能にする。
【００８８】
実際上、ＣＰＵ１０は、構内交換機３にログイン状態のＩＰ電話機４から送信される発信ダイヤル（特番ダイヤル及び内線番号）を含む発信要求を受信すると、この通信接続制御処理を開始し、まず、対応する特番ダイヤル種別情報テーブル２４，３４，４４（図６，図１１及び図１６）に登録されている対象特番ダイヤルに対応付けられたサービス種別情報を取得し、受信した特番ダイヤルのサービス種別情報が構内交換機３で付与されたＩＰ内線番号を有する電話機又はアナログ内線電話機７への発信要求を示す拠点内内線番号ダイヤルであるか否かを判断する(ＳＰ１)。
【００８９】
この判断で肯定結果を得ることは、そのときＩＰ電話機４が発信している発信ダイヤルのサービス種別情報がＩＰ電話機４のログイン先である構内交換機３（以下、これを第１の構内交換機と呼ぶ）にログイン状態のＩＰ電話機４、又はアナログ内線電話機７への発信要求を示す拠点内内線番号ダイヤルであることを意味する。かくして、このときＣＰＵ１０は、その発信ダイヤルを有する電話機に対して呼出しを実行した後(ＳＰ２)、この通信接続制御処理を終了する。
【００９０】
一方、ＣＰＵ１０は、ステップＳＰ１の判断で否定結果を得ると、対象発信ダイヤルのサービス種別情報が特定の構内交換機３の局番及び内線番号を有する対象のＩＰ電話機４、又はアナログ内線電話機７への発信要求を示す特定拠点向け発信であるか否かを判断する(ＳＰ３)。そして、ＣＰＵ１０は、この判断で肯定結果を得ると、その発信ダイヤルの発信先の対象構内交換機３での内線番号を有するＩＰ電話機４、又はアナログ内線電話機７に対して発信を行う特定拠点向け発信処理を実行した後(ＳＰ４)、この通信接続制御処理を終了する。
【００９１】
他方、ＣＰＵ１０は、ステップＳＰ３の判断で否定結果を得ると、対象発信ダイヤルのサービス種別情報が会議通話要求を示す会議発信であるか否かを判断する(ＳＰ５)。そして、ＣＰＵ１０は、この判断で肯定結果を得ると、会議通話を開始するための会議発信処理を実行した後(ＳＰ６)、この通信接続制御処理を終了する。
【００９２】
これに対して、ＣＰＵ１０は、ステップＳＰ５の判断で否定結果を得ると、対象発信ダイヤルのサービス種別情報が公衆網に対する発信要求を示す公衆網発信であるか否かを判断する(ＳＰ７)。そして、ＣＰＵ１０は、この判断で肯定結果を得ると、公衆網通話を開始するための公衆網発信処理を実行した後(ＳＰ８)、この通信接続制御処理を終了する。
【００９３】
さらに、ＣＰＵ１０は、ステップＳＰ７の判断で否定結果を得ると、対象発信ダイヤルは、誤ダイヤルであると判断し(ＳＰ９)、この後、この通信接続制御処理を終了する。
【００９４】
（４−２）特定拠点向け発信処理
図２６は、上述の通信接続制御処理（図２５）のステップＳＰ４において、第１の構内交換機のＣＰＵ１０により実行される特定拠点向け発信処理の具体的な処理内容を示す。ＣＰＵ１０は、この図２６に示す手順に従って、ＩＰ電話機４と発信ダイヤルの対象のＩＰ電話機４、又はアナログ内線電話機７との通信接続を試みる。
【００９５】
実際上、ＣＰＵ１０は、通信接続制御処理のステップＳＰ４に進むと、この図２６に示す特定拠点向け発信処理を開始し、まず、受信した発信ダイヤル（特番ダイヤル及び内線番号）を含む発信要求がＩＰ電話機４に対する発信要求であるか否かを判断する(ＳＰ１０)。
【００９６】
なお、この判断の判断手法としては、例えば、迂回ログイン先情報テーブル２１，３１，４１（図３，図８及び図１３）のログイン先情報欄２１Ｂ，３１Ｂ，４１Ｂ、第１迂回ログイン先欄２１Ｃ，３１Ｃ，４１Ｃ及び第２迂回ログイン先欄に対象発信ダイヤルが格納されているレコード（行）が存在するか否かを判断することにより行われる。
【００９７】
そして、ＣＰＵ１０は、ステップＳＰ１０の判断で否定結果を得ることは、対象の発信ダイヤルがアナログ内線電話機に対する発信要求であることを意味する。かくして、このときＣＰＵ１０は、対象の発信ダイヤルを用いてその発信ダイヤルを有する電話機に対して呼出しを実行した後(ＳＰ１１)、この特定拠点向け発信処理を終了する。
【００９８】
これに対してＣＰＵ１０は、ステップＳＰ１０の判断で肯定結果を得ると、迂回ログイン先情報テーブル２１，３１，４１（図３，図８及び図１３）に登録されている対象発信ダイヤルに対応付けられた第１の構内交換機で付与された内線番号を取得し(ＳＰ１２)、受信した発信ダイヤルの第１の構内交換機内での内線番号に基づいてログイン状態情報テーブル２０，３０，４０（図２，図７及び図１２）を参照し、ＩＰ−ＭＦＴ内線番号欄２０Ａ，３０Ａ，４０Ａに対象の内線番号が格納されているレコード（行）より対象の内線番号を有するＩＰ電話機４が第１の構内交換機にログイン状態か否かを判断する(ＳＰ１３)。
【００９９】
この判断で肯定結果を得ることは、そのときＩＰ電話機４が発信要求している発信ダイヤルは、第１の構内交換機にログイン状態のＩＰ電話機４への発信要求であることを意味する。かくして、このときＣＰＵ１０は、上述のステップＳＰ１２において得られた第１の構内交換機内での発信ダイヤルを用いて、その発信ダイヤルを有するＩＰ電話機４に対して呼出しを実行した後(ＳＰ１４)、この特定拠点向け発信処理を終了する。
【０１００】
一方、ＣＰＵ１０は、ステップＳＰ１３の判断で否定結果を得ることは、そのときＩＰ電話機４が発信要求している発信ダイヤルを有する電話機は、第１の構内交換機以外にログインされていることを意味する。かくして、このときＣＰＵ１０は、対象の発信ダイヤルを有するＩＰ電話機４がログイン状態であるか否かを問い合わせるための第１の構内交換機以外の構内交換機（以下、これを問合わせ先構内交換機と呼ぶ）が存在するか否かを判断する(ＳＰ１５)。
【０１０１】
なお、この判断の判断手法としては、例えば、迂回ログイン先情報テーブル２１，３１，４１（図３，図８及び図１３）のＩＰ−ＭＦＴ内線番号欄２１Ａ，３１Ａ，４１Ａに上述のステップＳＰ１２において得られた対象の内線番号が格納されているレコード（行）を取出し、ログイン先情報欄２１Ｂ、第１迂回ログイン先欄２１Ｃ及び第２迂回ログイン先欄２１Ｄに第１の構内交換機以外のログイン先の拠点２が存在するか否かを判断することにより行われる。
【０１０２】
そして、ＣＰＵ１０は、ステップＳＰ１５の判断で否定結果を得ることは、対象発信ダイヤルのＩＰ電話機４には、第１の構内交換機以外にログイン先が設定されておらず、他の構内交換機３に対して対象の発信ダイヤルを有するＩＰ電話機４がログイン状態であるか否かを問い合わせる必要が無いことを意味する。かくして、このときＣＰＵ１０は、この特定拠点向け発信処理を終了する。
【０１０３】
一方、ＣＰＵ１０は、ステップＳＰ１５の判断で肯定結果を得ると、迂回ログイン先情報テーブル（図５、図６及び図７）に登録されている上述のステップＳＰ１２において得られた対象の内線番号に対応付けられた問合わせ先構内交換機の情報（拠点２及び内線番号）を取得し(ＳＰ１６)、この拠点２の構内交換機３に向けて発信ダイヤルの転送をすることで問合わせ先拠点へ発信する(ＳＰ１７)。そして、ＣＰＵ１０は、問合せ先構内交換機のＣＰＵ１０により、対象の発信ダイヤルを有するＩＰ電話機４が構内交換機３にログインしているか否か判断し、ログインしている場合は、対象のＩＰ電話機４に対して呼出しを実行した後、この特定拠点向け発信処理を終了する。一方、ログインしていない場合は、ＣＰＵ１０は、問合せ先構内交換機のＣＰＵ１０により、他の構内交換機３に向けて発信ダイヤルの転送し、上述のステップＳＰ１〜ステップＳＰ１７までの同様の処理を実行することにより対象の発信ダイヤルを有するＩＰ電話機４が構内交換機３にログインしているか否か判断し、ログインしている場合は、対象のＩＰ電話機４に対して呼出しを実行した後、この特定拠点向け発信処理を終了する。
【０１０４】
（４−３）会議発信処理
図２７は、上述の通信接続制御処理（図２５）のステップＳＰ５において、第１の構内交換機のＣＰＵ１０により実行される会議発信処理の具体的な処理内容を示す。
【０１０５】
ＣＰＵ１０は、通信接続制御処理のステップＳＰ５に進むと、この図２７に示す会議発信処理を開始し、まず、利用できる会議トランクボード１６を有する拠点２の情報を取得するための空き会議トランクボード１６の検索処理を実行する(ＳＰ２０)。
【０１０６】
具体的に、ＣＰＵ１０は、第１の構内交換機内で会議トランクボード１６の検索を行い利用できる会議トランクボード１６が存在するか否か判断する。そして、ＣＰＵ１０は、第１の構内交換機において利用できる会議トランクボード１６が存在した場合は、会議招集処理を開始する。
【０１０７】
一方、第１の構内交換機において利用できる会議トランクボード１６が存在しない場合は、ＣＰＵ１０は、迂回ログイン先の構内交換機３に利用できる会議トランクボード１６が存在するか否か検索する。そして、迂回ログイン先の構内交換機３において、利用できる会議トランクボード１６が存在した場合は、ＣＰＵ１０は、迂回ログイン先の構内交換機３に接続させるためのログイン先変更処理を実行し、会議招集処理を開始する。一方、迂回ログイン先で利用できる会議トランクボード１６が存在しない場合は、この会議発信処理を終了する。
【０１０８】
続いて、ＣＰＵ１０は、ステップＳＰ２０で検索した会議トランクボード１６より、会議通話をするため、会議に参加させる電話機を会議トランクボード１６に接続させるための会議招集処理を実行し(ＳＰ２１)、この会議発信処理を終了する。
【０１０９】
（４−４）第１の構内交換機側空き会議トランク検索処理
図２８は、上述の会議発信処理（図２７）のステップＳＰ２０において、第１の構内交換機のＣＰＵ１０により実行される空き会議トランク検索処理（以下、これを第１の構内交換機側空き会議トランク検索処理と呼ぶ）の具体的な処理内容を示す。
【０１１０】
ＣＰＵ１０は、会議発信処理のステップＳＰ２０に進むと、この図２８に示す第１の構内交換機側空き会議トランク検索処理を開始し、まず、第１の構内交換機内で会議トランクボード１６の検索を実行し(ＳＰ３０)、第１の構内交換機内に利用できる会議トランクボード１６が存在するか否か判断する(ＳＰ３１)。
【０１１１】
そして、ＣＰＵ１０は、この判断で肯定結果を得ると、ステップＳＰ３４に進み、第１の構内交換機で会議発信が可能であることをＩＰ電話機４に通知（以下、これを会議発信可能通知と呼ぶ）した後(ＳＰ３４)、この第１の構内交換機側空き会議トランク検索処理を終了する。
【０１１２】
これに対してＣＰＵ１０は、ステップＳＰ３１の判断で否定結果を得ると、第１の構内交換機に新たな会議トランクボード１６を捕捉可能であるか否かを判断する(ＳＰ３２)。そしてＣＰＵ１０は、この判断で肯定結果を得ると、第１の構内交換機に対して会議トランクボード１６の捕捉をした後(ＳＰ３３)、ステップＳＰ３４に進み、会議発信可能通知をＩＰ電話機４に送信し(ＳＰ３４)、この後、この第１の構内交換機側空き会議トランク検索処理を終了する。
【０１１３】
またＣＰＵ１０は、ステップＳＰ３２の判断で否定結果を得ると、第１の構内交換機が本店を示す拠点２Ａの構内交換機３Ａであるか否か判断する(ＳＰ３５)。
【０１１４】
そして、ＣＰＵ１０は、この判断で肯定結果を得ると、ステップＳＰ４０に進む。
【０１１５】
これに対してＣＰＵ１０がステップＳＰ３５で否定結果を得ることは、第１の構内交換機が本店以外の支店を示す拠点２Ｂ,２Ｃの構内交換機３Ｂ，３Ｃであることを意味する。かくして、このときＣＰＵ１０は、空き会議トランク検索要求を問合せ先である本店を示す構内交換機３Ａに送信する(ＳＰ３６)。
【０１１６】
この後、ＣＰＵ１０は、構内交換機３Ａから後述する空き会議トランクボード１６の検索結果が送信されるのを待ち受け、やがて空き会議トランクボード１６の検索結果を受領すると(ＳＰ３７)、検索結果より会議トランクボード１６が利用できる構内交換機３が存在するか否か判断する(ＳＰ３８)。そして、ＣＰＵ１０は、この判断で肯定結果を得ると、ステップＳＰ３９に進み、ＩＰ電話機４に対して迂回ログイン先へログインさせるための要求（以下、これを迂回先ログイン要求と呼ぶ）をＩＰ電話機４に送信した後(ＳＰ３９)、この第１の構内交換機側空き会議トランク検索処理を終了する。
【０１１７】
一方、ＣＰＵ１０は、ステップＳＰ３５で肯定結果を得ると、利用できる会議トランクボード１６が存在するかを問い合わせるための迂回ログイン先の構内交換機３が存在するか否かを判断する(ＳＰ４０)。
【０１１８】
なお、この判断の判断手法としては、例えば、サービス種別毎迂回ログイン先情報テーブル２２（図４）のＩＰ−ＭＦＴ内線番号欄２２Ａに対象ＩＰ電話機４が格納されているレコード（行）を取出し、第１迂回ログイン先欄２２Ｃ及び第２迂回ログイン先欄２２Ｄに迂回ログイン先の構内交換機３が存在するか否かを判断することにより行われる。
【０１１９】
そしてＣＰＵ１０は、この判断で否定結果を得ると、この第１の構内交換機側空き会議トランク検索処理を終了する。
【０１２０】
一方、ＣＰＵ１０は、ステップＳＰ４０の判断で肯定結果を得ると、サービス種別毎迂回ログイン先情報テーブル２２（図４）に登録されている対処のＩＰ電話機４に対応付けられた迂回ログイン先の構内交換機３の情報（拠点２及び内線番号）を取得し(ＳＰ４１)、この拠点２の構内交換機３に向けて空き会議トランク検索要求を送信する(ＳＰ４２)。
【０１２１】
この後、ＣＰＵ１０は、迂回ログイン先から後述する空き会議トランクボード１６の検索結果が送信されるのを待ち受け、やがて空き会議トランクボード１６の検索結果を受領すると(ＳＰ４３)、検索結果より迂回ログイン先の構内交換機３に利用できる会議トランクボード１６が存在するか否か判断する(ＳＰ４４)。
【０１２２】
そして、ＣＰＵ１０は、この判断で肯定結果を得ると、ステップＳＰ４６に進み、迂回先ログイン要求をＩＰ電話機４に送信した後(ＳＰ４６)、この第１の構内交換機側空き会議トランク検索処理を終了する。
【０１２３】
これに対してＣＰＵ１０は、ステップＳＰ４４で否定結果を得ると、ステップＳＰ４０〜ステップＳＰ４５の処理をすべての迂回ログイン先の構内交換機３に対して実行し終えたか否かを判断する(ＳＰ４５)。
【０１２４】
ＣＰＵ１０は、ステップＳＰ４５で否定結果を得ると、ステップＳＰ４０に戻り、この後、同様の処理（ステップＳＰ４０〜ステップＳＰ４５−ステップＳＰ４０）を繰り返す。
【０１２５】
そして、ＣＰＵ１０は、すべての迂回ログイン先の構内交換機３に対してステップＳＰ４０〜ステップＳＰ４５の処理を実行し終えることによりステップＳＰ４５で肯定結果を得ると、この第１の構内交換機側空き会議トランク検索処理を終了する。
【０１２６】
（４−５）本店側空き会議トランク検索処理
図２９は、上述の第１の構内交換機側空き会議トランク検索処理（図２８）のステップＳＰ３６において、本店を示す拠点２Ａの構内交換機３ＡのＣＰＵ１０により実行される空き会議トランク検索処理（以下、これを本店側空き会議トランク検索処理と呼ぶ）の具体的な処理内容を示す。
【０１２７】
ＣＰＵ１０は、会議発信処理のステップＳＰ２０に進むと、この図２７に示す本店側空き会議トランク検索処理を開始し、まず、利用できる会議トランクボード１６が存在するかを問い合わせるための迂回ログイン先の構内交換機３が存在するか否かを判断する(ＳＰ５０)。
【０１２８】
なお、この判断の判断手法としては、例えば、サービス種別毎迂回ログイン先情報テーブル２２（図４）のＩＰ−ＭＦＴ内線番号欄２２Ａに対象ＩＰ電話機４が格納されているレコード（行）を取出し、第１迂回ログイン先欄２２Ｃ及び第２迂回ログイン先欄２２Ｄに迂回ログイン先の構内交換機３が存在するか否かを判断することにより行われる。
【０１２９】
そしてＣＰＵ１０は、この判断で否定結果を得ると、ステップＳＰ６２に進み、利用可能な会議トランクボードが存在しないことをＩＰ電話機４に通知（以下、これを利用可能会議トランクなし通知と呼ぶ）した後(ＳＰ６２)、この本店側空き会議トランク検索処理を終了する。
【０１３０】
一方、ＣＰＵ１０は、ステップＳＰ５０の判断で肯定結果を得ると、サービス種別毎迂回ログイン先情報テーブル２２（図４）に登録されている対処のＩＰ電話機４に対応付けられた迂回ログイン先の構内交換機３の情報（拠点２及び内線番号）を取得し(ＳＰ５１)、この迂回ログイン先の構内交換機３の拠点２が本店であるか否かを判断する(ＳＰ５２)。
【０１３１】
そして、ＣＰＵは、そして、ＣＰＵは、この判断で否定結果を得ると、ステップＳＰ５５に進み、本店で利用できる会議トランクの検索を実行し(ＳＰ５５)、この後、ステップＳＰ５６に進む。
【０１３２】
これに対してＣＰＵ１０がステップＳＰ５２で否定結果を得ると、上述のステップＳＰ５１で取得した構内交換機３に向けて空き会議トランク検索要求を送信する(ＳＰ５３)。
【０１３３】
この後、ＣＰＵ１０は、迂回ログイン先から後述する空き会議トランクボード１６の検索結果が送信されるのを待ち受け、やがて空き会議トランクボード１６の検索結果を受領すると(ＳＰ５４)、検索結果より迂回ログイン先の構内交換機３に利用できる会議トランクボード１６が存在するか否か判断する(ＳＰ５６)。
【０１３４】
そして、ＣＰＵ１０は、この判断で肯定結果を得ると、ステップＳＰ６１に進み、利用できる会議トランクボード１６を有する構内交換機３の情報及び利用可能な会議トランクボードが存在することをＩＰ電話機４に通知（以下、これを利用可能会議トランクあり通知と呼ぶ）した後(ＳＰ６１)、この本店側空き会議トランク検索処理を終了する。
【０１３５】
一方、ＣＰＵ１０は、ステップＳＰ５７の判断で肯定結果を得ると、ステップＳＰ５０〜ステップＳＰ５６の処理をすべての迂回ログイン先の構内交換機３に対して実行し終えたか否かを判断する(ＳＰ５７)。
【０１３６】
ＣＰＵ１０は、ステップＳＰ５７で否定結果を得ると、ステップＳＰ５０に戻り、この後、同様の処理（ステップＳＰ５０〜ステップＳＰ５７−ステップＳＰ５０）を繰り返す。
【０１３７】
そして、ＣＰＵ１０は、すべての迂回ログイン先の構内交換機３に対してステップＳＰ５０〜ステップＳＰ５７の処理を実行し終えることによりステップＳＰ５７で肯定結果を得ると、ステップＳＰ５８に進み、構内交換機３Ａに新たな会議トランクボード１６Ａを捕捉可能であるか否かを判断する(ＳＰ５８)。
【０１３８】
そしてＣＰＵ１０は、この判断で肯定結果を得ると、構内交換機３Ａに対して会議トランクボード１６Ａの捕捉をした後(ＳＰ５９)、ステップＳＰ３４に進み、利用可能会議トランクボードあり通知と利用できる会議トランクボード１６を有する構内交換機３の情報とを第１の構内交換機に送信し(ＳＰ６１)、この後、この本店側空き会議トランク検索処理を終了する。
【０１３９】
これに対して、ＣＰＵ１０は、ステップＳＰ５８の判断で否定結果を得ると、利用可能会議トランクなし通知を第１の構内交換機に送信し(ＳＰ３４)、この後、この本店側空き会議トランク検索処理を終了する。
【０１４０】
（４−６）迂回ログイン先構内交換機側空き会議トランク検索処理
図３０は、上述の第１の構内交換機側空き会議トランク検索処理（図２８）のステップＳＰ４２及び本店側空き会議トランク検索処理（図２９）のステップＳＰ５３においてそれぞれ第１の構内交換機及び本店を示す構内交換機３Ａより送信された空き会議トランクの検索要求を受信した迂回ログイン先の構内交換機３のＣＰＵ１０により実行される空き会議トランク検索処理（以下、これを迂回ログイン先構内交換機側空き会議トランク検索処理と呼ぶ）の具体的な処理内容を示す。
【０１４１】
迂回ログイン先の構内交換機３のＣＰＵ１０は、かかるログアウト要求を受信するとこの迂回ログイン先構内交換機側空き会議トランク検索処理を開始し、ステップＳＰ７０〜ステップＳＰ７３を図２８について上述した第１の構内交換機側空き会議トランク検索処理のステップＳＰ３０〜ステップＳＰ３３と同様に処理する。これにより、ＣＰＵ１０は、迂回ログイン先の構内交換機３において、利用ができる会議トランクボード１６が存在することを確認した後、ステップＳＰ３４に進み、利用可能会議トランクボードあり通知と利用できる会議トランクボード１６を有する構内交換機３の情報とを第１の構内交換機に送信し(ＳＰ７４)、この後、この迂回ログイン先構内交換機側空き会議トランク検索処理を終了する。
【０１４２】
これに対して、ＣＰＵ１０は、ステップＳＰ７２で否定結果を得ることは、迂回ログイン先の構内交換機３において、利用が出来る会議トランクボードが存在したことを示し。利用可能会議トランクなし通知を第１の構内交換機に送信し(ＳＰ３４)、この後、この迂回ログイン先構内交換機側空き会議トランク検索処理を終了する。
【０１４３】
（４−７）内線解放処理
図３０は、上述の第１の構内交換機側空き会議トランク検索処理（図２８）のステップＳＰ３９において第１の構内交換機から送信された上述の迂回先ログイン要求を受信したＩＰ電話機４からログアウト要求を受信した第１の構内交換機のＣＰＵ１０により実行される内線解放処理の具体的な処理内容を示す。
【０１４４】
第１の構内交換機のＣＰＵ１０は、かかるログアウト要求を受信すると、この内線解放処理を開始し、まず、第１の構内交換機からＩＰ電話機４をログアウトさせる(ＳＰ８０)。
【０１４５】
続いてＣＰＵ１０は、かかるログアウト要求に従った第１の構内交換機でのＩＰ電話機４のログアウトが完了したことをＩＰ電話機４に通知（以下、これをログアウト完了通知と呼ぶ）した後(ＳＰ１７１)、この内線解放処理を終了する。
【０１４６】
（４−８）ログイン及び発信処理
図３２は、上述の第１の構内交換機側空き会議トランク検索処理（図３１）のステップＳＰ８１において第１の構内交換機から送信された上述のログアウト完了通知を受信したＩＰ電話機４からログイン及び発信要求を受信した迂回ログイン先の構内交換機３のＣＰＵ１０により実行されるログイン及び発信処理の具体的な処理内容を示す。
【０１４７】
迂回ログイン先である構内交換機３のＣＰＵ１０は、かかるログイン及び発信要求を受信すると、このログイン及び発信処理を開始し、まず、第１の構内交換機へＩＰ電話機４をログインさせる(ＳＰ９０)。
【０１４８】
続いてＣＰＵ１０は、かかるログイン及び発信処理に従った構内交換機３でのＩＰ電話機４のログインが完了したこと（以下、これをログイン完了通知と呼ぶ）と、ログインにより発信可能であることをＩＰ電話機４に通知（以下、これを発信可能通知と呼ぶ。）した後(ＳＰ９１)、このログイン及び発信処理を終了する。
【０１４９】
（４−９）会議招集処理
図３３は、上述の第１の構内交換機側空き会議トランク検索処理（図３１）のステップＳＰ９１において迂回ログイン先の構内交換機３から送信された上述の発振可能通知を受信したＩＰ電話機４から発信ダイヤルを受信した迂回ログイン先の構内交換機３のＣＰＵ１０により実行される会議招集処理の処理具体的な処理内容を示す。
【０１５０】
迂回ログイン先である構内交換機３のＣＰＵ１０は、構内交換機３にログイン状態のＩＰ電話機４から送信される発信ダイヤルを受信すると、この会議招集処理を開始し、まず、この発信ダイヤルを用いてその発信ダイヤルを有する電話機に対して呼出しを実行する（ＳＰ１００）。
【０１５１】
続いて、ＣＰＵ１０は、ＩＰ電話機４から送信される全ての発信ダイヤルについて呼出しが終了したか否かを判断する（ＳＰ１０１）。そして、ＣＰＵ１０は、この判断で肯定結果を得ると、ステップＳＰ１０２に進み、会議発信通話を開始した後（ＳＰ１０２）、この会議招集処理を終了する。
【０１５２】
これに対してＣＰＵ１０は、ステップＳＰ１０１で否定結果を得ると、ステップＳＰ１００〜ステップＳＰ１０１の処理をすべての発信ダイヤルに対して実行し終えたか否かを判断する(ＳＰ４５)
【０１５３】
ＣＰＵ１０は、ステップＳＰ１０１で否定結果を得ると、ステップＳＰ１００に戻り、この後、同様の処理（ステップＳＰ１００〜ステップＳＰ１０１−ステップＳＰ１００）を繰り返す。
【０１５４】
そして、ＣＰＵ１０は、すべての発信ダイヤルに対してステップＳＰ１００〜ステップＳＰ１０１の処理を実行し終えることによりステップＳＰ１０１で肯定結果を得ると、この会議招集処理を終了する。
（４−１０）公衆網発信処理
図３４〜図３９は、本実施の形態による公衆網発信処理の処理内容を示す。公衆網発信処理は、公衆網接続トランクボード１８を検索対象とし、公衆網に通信接続させている点を除いて、会議トランクボード１６を検索対象とし、通信接続させている上述の会議発信処理（図２８〜図３２）と同様の処理を行っているため、詳細な説明は省略する。
【０１５５】
（４−１１）通話終了処理
図４０は、各構内交換機３におけるＣＰＵ１０により実行される通話終了処理の処理手順を示す。通話終了時にＩＰ電話機４から送信された通話終了要求を受信したＩＰ電話機４のログイン先の構内交換機３により実行される通話終了処理の具体的な処理内容を示す。
【０１５６】
構内交換機３のＣＰＵ１０は、かかる通話終了要求を受信すると、この通話終了処理を開始し、まず、ＩＰ電話機４が使用していたサービスが会議発信又は公衆網発信であるか否かを判断する（ＳＰ１９１）。
【０１５７】
このとき、否定結果を得ることは、ＩＰ電話機４が使用していたサービスが他のアナログ内線電話機７又はＩＰ電話機４との通話サービスであることを意味する。かくして、このときＣＰＵ１０は、ステップＳＰ１９３に進み、内線解放処理を実行した後(ＳＰ１９３)、この通話終了処理を終了する。
【０１５８】
一方、ＣＰＵ１０は、ステップＳＰ１９１の判断で否定結果を得ると、迂回ログイン先情報テーブル２１，３１，４１（図３，図８及び図１３）に登録されている対象ＩＰ電話機４に対応付けられた最優先ログイン先の構内交換機３を取得し(ＳＰ１９０)、取得した最優先ログイン先の構内交換機３と比較し、対象のＩＰ電話機４がログインしている当該構内交換機３が最優先ログイン先の構内交換機３であるか否かを判断する（ＳＰ１９２）。
【０１５９】
そして、ＣＰＵ１０は、この判断で肯定結果を得ると、ステップＳＰ１９３に進み、内線解放処理を実行した後（ＳＰ１９３）、この通話終了処理を終了する。
【０１６０】
これに対して、ＣＰＵ１０は、ステップＳＰ１９２で否定結果を得ると、内線解放処理を実行し（ＳＰ１９４）、上述のステップＳＰ１９０で取得した対象ＩＰ電話機４の最優先ログイン先の構内交換機３にＩＰ電話機４をログインさせた後（ＳＰ１９５）、この通話終了処理を終了する。
（５）本実施の形態の効果
以上のように本実施の形態によれば、例えば、発信元のＩＰ電話機４が回線の障害又は回線の混雑等によって、通常接続される拠点２の構内交換機３以外の他の拠点２の構内交換機３に迂回してログインしている場合であっても、ダイヤル操作を変更せずに発信先のＩＰ電話機４が通常ログインしている拠点２の構内交換機３によって割り当てられる局番及び内線番号を使用することで、発信元のＩＰ電話機４と発信先のＩＰ電話機４とを通信接続することができる。従って、利便性の高い構内交換機システムおよび通信接続方法を実現できる。
【０１６１】
（６）他の実施の形態
なお、上述の実施の形態においては、予めユーザによって設定された迂回ログイン先情報テーブル２１，３１，４１の情報に基づいてＣＰＵ１０がＩＰ電話機４を迂回させて迂回ログイン先である構内交換機３に接続させる場合について述べたが、本発明はこれに限らず、例えば、時間帯によって迂回ログイン先の優先順位の情報を変更したり、構内交換機３の故障等構内交換機３の状態、回線の障害又は混雑等回線の状態、若しくは、ＩＰ電話機４のトランクの利用率及びトランクの負荷の状況等トランクの状態に応じて迂回ログイン先の優先順位の情報を変更するようにしても良い。また、構内交換機、回線及びトランクの状態が回復した際は、優先順位の情報の変更を元の状態に戻すようにしても良い。
【０１６２】
また上述の実施の形態においては、構内交換機システム１内に３つの拠点２が存在する場合について述べたが、本発明はこれに限らず、拠点２が４つ以上存在するようにしてもよい。
【産業上の利用可能性】
【０１６３】
本発明は、ＩＰ電話機の回線交換を行うための通話路スイッチを備える構内交換機システムに格納するプログラムに適用することができる。
【符号の説明】
【０１６４】
１……構内交換機システム、２，２Ａ，２Ｂ，２Ｃ……拠点、３，３Ａ，３Ｂ，３Ｃ……構内交換機、４，４Ａ，４Ｂ１，４Ｂ２，４Ｂ３，４Ｃ１，４Ｃ２，４Ｃ３……ＩＰ電話機、５……公衆電話網、６……ＩＰネットワーク、１０，１０Ａ，１０Ｂ，１０Ｃ……ＣＰＵ、１１，１１Ａ，１１Ｂ，１１Ｃ……メモリ、１３，１３Ａ，１３Ｂ，１３Ｃ……通話路スイッチ、１４，１４Ａ１，１４Ａ２，１４Ｂ，１４Ｃ……ＩＰ専用線接続制御ボード、１５，１５Ａ，１５Ｂ，１５Ｃ……ＩＰ電話機制御トランクボード、１６，１６Ａ，１６Ｂ，１６Ｃ……会議トランクボード、１７，１７Ａ，１７Ｂ，１７Ｃ……アナログ内線電話機制御トランクボード、１８，１８Ａ，１８Ｂ，１８Ｃ……公衆網接続トランクボード、２１，３１，４１……ログイン状態情報テーブル、２２，３２，４２……迂回ログイン先情報テーブル、２３，３３，４３……特番ダイヤルテーブル種別情報テーブル、２４，３４，４４……特番ダイヤル種別情報テーブル。
【図１】
2013062598.tif 000003
【図２】
2013062598.tif 000004
【図３】
2013062598.tif 000005
【図４】
2013062598.tif 000006
【図５】
2013062598.tif 000007
【図６】
2013062598.tif 000008
【図７】
2013062598.tif 000009
【図８】
2013062598.tif 000010
【図９】
2013062598.tif 000011
【図１０】
2013062598.tif 000012
【図１１】
2013062598.tif 000013
【図１２】
2013062598.tif 000014
【図１３】
2013062598.tif 000015
【図１４】
2013062598.tif 000016
【図１５】
2013062598.tif 000017
【図１６】
2013062598.tif 000018
【図１７】
2013062598.tif 000019
【図１８】
2013062598.tif 000020
【図１９】
2013062598.tif 000021
【図２０】
2013062598.tif 000022
【図２１】
2013062598.tif 000023
【図２２】
2013062598.tif 000024
【図２３】
2013062598.tif 000025
【図２４】
2013062598.tif 000026
【図２５】
2013062598.tif 000027
【図２６】
2013062598.tif 000028
【図２７】
2013062598.tif 000029
【図２８】
2013062598.tif 000030
【図２９】
2013062598.tif 000031
【図３０】
2013062598.tif 000032
【図３１】
2013062598.tif 000033
【図３２】
2013062598.tif 000034
【図３３】
2013062598.tif 000035
【図３４】
2013062598.tif 000036
【図３５】
2013062598.tif 000037
【図３６】
2013062598.tif 000038
【図３７】
2013062598.tif 000039
【図３８】
2013062598.tif 000040
【図３９】
2013062598.tif 000041
【図４０】
2013062598.tif 000042